(57)【要約】      （修正有）【課題】健常者の健康維持と、病人の安眠の為の背骨安定盤及び背骨安定用寝具を提供する。【解決手段】（Ａ）一対の両端素材をある間隔を置いて配置するという構造を採用して，背面を受ける板状の素材２枚を，脊椎を受容する程度の間隔を置いて配置し，一体化して背骨安定盤を構成する。（Ｂ）背面を受ける板状の素材と，前記素材を契合して間隔を確保する基盤とを着脱可能にする。（Ｃ）ある間隔を置いて配置した一対の素材に対して直交する素材を付加して十文字型背骨安定盤を構成する。（Ｄ）一対の両端素材をある間隔を置いて配置するという構造を敷布団等の寝具に適用し，中央素材と，中央素材の柔らかさの異なる両端素材で寝具を構成する。（Ｅ）敷布団等の寝具に，背骨安定盤の構造を適用し，脊椎が面する部分に柔らかい素材を，その両端に固めの素材よりなる対背面部を配置し，寝具の両端に柔らかい素材を配置する。【選択図】図３３
0003109153.tif 000002
【実用新案登録請求の範囲】
【請求項１】
敷布団の上に置いて仰臥するための器具であって，脊椎の両側の背面をそれぞれ受ける対背面部２，３を，脊椎の棘突起が面する位置に脊椎が接触しない程度の間隔を置いて，前記対背面部のそれぞれの幅と前記間隔との和２１が肩幅程度かそれ以内であるように配置して一体化したことを特徴とする背骨安定盤。
【請求項２】
基板１上に間隔４を置いて一対の対背面部２，３を配置して一体化した背骨安定盤において，基板１と対背面部２，３とが接している部分に，または基板１が中心基板１Cと，一対の側面基板１B，１Dに分割され，前記側面基板１B，１Dが前記背面部２，３に固着されている場合は前記中心基板１Cと２つの前記側面基板１B，１Dに接する部分に，それぞれの部品を着脱可能にする契合部４０A，４０Bを設けた請求項１に記載された背骨安定盤。
【請求項３】
基板１を仮想上の縦軸によって左右に分割した２つの部分に，２つの対背面部２，３を，間隔４によって左右に隔てるように配置し一体化した背骨安定盤において，前記仮想上の縦軸の中心部に近い任意の一点において直交する仮想上の横軸上に重なるように右の対背面部に対して一つの右側直交部分を，左の対背面部に対して一つの左側直交部分を設けた，または前記仮想上の横軸に対して間隔４Ｂを置いて右の対背面部に対して二つの右側直交部分を，左の対背面部に対して二つの左側直交部分を設けた請求項１に記載された背骨安定盤。
【請求項４】
敷布団またはマットの頭と足に当たる両端の少なくとも１つ，もしくは３つ折りにできる敷布団またはマットの頭と足に当たる両端の少なくとも１つにおいて，人体の上半身の大部分が位置する中央部分５と隣接した両端部分６とが互いに異なった剛柔の度合いの素材で構成した寝具であって，素材５と素材６とを互いに異なる剛柔の度合いの詰め物で構成するか，普通の寝具の素材でできた詰め物を剛柔の度合いを異にした表被５と表被６とで被覆したことを特徴とする背骨安定用寝具。
【請求項５】
敷布団またはマットの頭と足に当たる両端の少なくとも１つ，もしくは３つ折りにできる敷布団またはマットの頭と足に当たる両端の少なくとも１つにおいて，人体の上半身の大部分が位置する中央部分で脊椎の棘突起が面する位置に対脊椎部５を配置し，その両側の背中が面する部分に対背面部２，３を配置し，更にその両端に両端部分６を配置した，または，人体の上半身の大部分が位置する，普通の寝具の中央部分で脊椎の棘突起が面する位置に対脊椎部用表被５を配置し，その両側の隣接部分に対背面部用表被２，３を配置し，更にその両端に両端表被６を配置したことを特徴とする背骨安定用寝具。
【考案の詳細な説明】
【技術分野】
【０００１】
本考案は，仰臥時に体重を受けることにより背骨の両側に集中存在するツボを抑え，かつ姿勢を正しく保つ健康器具の改良に関し，健常者には更なる健康維持を，病人には安眠しやすさを提供しようとするものである。
【背景技術】
【０００２】
本考案者は，古人が板の間に就寝して身体を鍛錬した話を若い頃に聞いて感銘し，寝具に背中一面をカバーする程度の板を敷いて就寝することを長年実行し，息子の一人にも実行せしめ，これに関する実用新案を過去に申請した。
【特許文献１】実開平２−８６５１４号公報  昭和63年実用新案登録願第１６８５０７号  「脊椎安定板を使用する健康保持の寝具」  また，本考案を出願するに当たって，先行技術を調査した結果，「脊椎健康器具」があった。
【特許文献２】実開平７−１３３１０号公報
【考案の開示】
【考案が解決しようとする課題】
【０００３】
文献１の引用考案において，本考案者は，幅２０ｃｍ，長さ７０ｃｍ，厚さ１ｃｍの木の板を，背中に当てて就寝することを実施例とした。
この実施例を再吟味することによって，本考案者は，脊椎が固い感触の板に接触することが仰臥を難しくするという問題点を発見し，課題を解決する手懸りを得た。シンプルな健康法は，習慣化することによって効用を発揮するものであり，効果と習慣獲得のバランスをいかにとるかについて考え抜いた。
また，上記の考えを敷布団やマット（マットレス）等の寝具に応用すると，この健康法に初めての人にも親しみ易い道具になるばかりでなく，脊椎，背筋，内臓等に疾患を抱える人々にも安眠しやすい寝具を提供することができることに気付いた。
【０００４】
もう一つの先行技術に係わる脊椎健康器具は，「人体の背面部より，面で構成された作用面を持つ支持器具本体によって，脊椎起立筋（背筋）をおし上げ，人体の自重によって作用面全体にわたって，脊椎起立筋（背筋）に指圧的効果を与える」ように構成されている。
自重によって指圧効果があることは，文献１において本出願人が既に述べている通りである。
文献２で主張されている作用面は，その明細書と図面から，厳密な寸法は別にして，第1の引用考案において記述されている背中に当てる板とほぼ同じであると認められる。
また，明細書に，「例えばウレタン樹脂等の素材により，例えば厚さ５０〜１００ｍｍのマット上に形成したもので，例えばビーチマットやベッドマット等として広く利用したもの」と記載されている。
ウレタン樹脂等の素材よりなるベッドマット等に（特別な）作用面を設けてあるのか，それともウレタン樹脂等を現在市販されているベッドマットのように構成し，前記ベッドマット等の表面を作用面として使用することを提案しているのか不明であるが，それぞれの場合について検討してみる。
前者の場合，前記作用面は上に述べたように，素材は別として，第1の引用文献において記述されている背中に当てる板と同じである。一枚板が引き起こす仰臥のし難さは克服されていない。
後者の場合，ウレタン樹脂等で構成した寝具は，現時点では既に市販されている商品とまったく同じである。従って，市販のウレタン製寝具が寝具として理想的であるかどうかを論考する。
ウレタン樹脂等の素材で作られた寝具は，一般に，低反発物質のものが多い。上半身を包み込むその働きは確かに優れている。しかし，柔らか過ぎ，かつ沈み込んだ部分を包み込むあまり，身体が絡み取られた感覚に襲われる。この結果，人は逼迫感を覚え，重心の不安定状態に不快感を感じることすらある。柔らかすぎる敷布団は身体によくないとか，寝難いとよくいわれる。低反発ウレタン製寝具はこれ以上によくない。
また，ウレタン寝具は，高反発物質で構成されることもある。この場合，身体の主要部分だけが沈み込み、保護され、低反発物質の場合より優れた効果を発揮するように思われる。しかしながら，このように十分固い感触の場合は，逆に寝返りを打ちにくく，安眠を妨げるという欠点がある。寝違えたり，首筋が凝ることがある。
【０００５】
本考案をなす背骨安定盤（以下，単に安定盤と称する）の中心思想は，中央に一つの素材（柔らかな素材あるいは空間，または反対に固い素材）を配置し，その両端に中央素材と異なる固さまたは柔らかさを有する両端素材（中央素材が柔らかな素材あるいは空間である場合は両端素材に固い素材，前者が固い素材である場合は後者に柔らかな素材）を配置して，その上に仰臥するというところにある。
図３３の（Ａ）安定盤は，この思想に基づき，脊椎の幅程度の間隔を置いてその両端に固い素材を配置し，間隔と両端素材との幅の和２１を肩幅程度かそれ以内にした。（Ａ）を「基本的な安定盤」と称して，他の応用例と区別する。
上記の構造をとることにより，背面が対背面部に接する時，直接脊椎が固い物質に当たらないため，感覚的に仰臥が楽になった。これを第1の実施例として後述する。
【０００６】
（Ａ）に示す構造において，一対の対背面部は，基板に釘や接着剤で固着，一体化されている。（Ｂ）の着脱型安定盤は，固着して一体化する代わりに，対背面部と基板とを，密接にまたは緩やかに契合させて一体化することを提案する。このようにすると，基本的な安定盤に相乗的な効果を付加できる。これは契合型安定板と称することもある。これを第2の実施例として示す。
【０００７】
（Ａ）に示す基本的な安定盤やその応用によって，仰臥のしやすさは改善されたが，次に効果の強い安定盤と位置決めの問題を考えてみる。自重効果を高めるために器具の厚さ(高さ)２３を大きくすればするほど，仰臥時の位置決めは難しくなる。一般的な位置決めは，寝具上に２つの対背面部が背中に当たるような場所に設置して，仰臥して試行錯誤的に行うが，手馴れた者が執るもう一つの方法は，背骨と直交するように（Ａ）の安定盤の一対の対背面部を腰または背面に当て，上半身を浮かせて前記器具を背面添いに90度回転させ，間隔の空間を脊椎に，対背面部を背中に位置せしめることである。
図３３の（Ｃ）に示すように，間隔４Ａと間隔４Ｂが直交するように，Ｌ字型の対背面部を設けた構造およびその変形例は，十文字構造の横の構造物を位置決めの手懸りにすることから導き出された。これを第3の実施例として説明する。
【０００８】
図３３の（Ｄ―１）安定盤は（Ａ）の器具の間隔４に中央素材として綿などの詰め物をし，両端素材に固い板状の物を配置した例である。２つの素材の幅と真中の素材５の幅とを合計した幅２１はほぼ肩幅程度かそれ以内である。（Ａ）と同様，問題点の寝難さに関する改善効果は継承された上，保温効果が生じる。この構造から（Ｄ―２）の寝具が導き出される。
【０００９】
図３３の（Ｄ―２）寝具は，前記（Ａ）において，脊椎（の棘突起）が面する位置に脊椎（の幅方向の主要部）が接触しないように設けられた間隔を，両脇下間程度の長さ乃至肩幅にまで拡大し，その空間に柔らかい内容を詰め，その両端に相対的に固い素材を詰めた寝具である。（寝具の中身は同一の柔らかい内容で構成し，背面部分に相当する表面を柔らかな布地で，両脇下間距離から両端までの表面に相当する表面をキャンバス地のような固い素材で被うように構成することもある。）（Ｄ―１）安定盤における構成は，中央の間隔と両脇の一対の対背面部との組み合わせであり，（Ｄ―２）寝具における構成は，中央素材と一対の両端素材との組み合わせである。
このような構造を持つ寝具は，病人に独特の良い影響を与える。仰臥すると脊椎を含む背面は柔らかい素材で保護され，脊椎を含む背面部分は沈み込むが，両端素材が身体を包み込むことを，もしくは絡みつくことを阻止する。重心の不安定状態は左右の素材に身体の一部が触れる感覚だけで改善される。
これを実施例４に示す。
なお，反対に，中央部分を相対的に固い素材で，両端部分を柔らかい素材で構成した場合，前記中央部分の働きは板の場合に比べて穏やかであるので，さほどの仰臥し難さはない安定盤と同じ働きをする寝具となる。これは初心者向きの背骨安定用寝具として本考案の技術的思想の範囲内に含まれるものである。当然この場合の両端素材は相対的に柔らかいので，仰臥中に身体を動かすことが楽であって，寝苦しさを感じない。
【００１０】
図３５の（Ｅ）寝具は，前記（Ｄ―２）に基本的な（Ａ）の構造を組み込んだもので，脊椎が当たる部分に柔らかい素材を，その両側に固めの対背面部を，更にその両端に柔らかい素材を配置した構成をとる。これを実施例５に示す。
【課題を解決するための手段】
【００１１】
本考案の背骨安定盤は，敷布団の上に置いて仰臥するための器具であって，図３３（Ａ）に示すように，脊椎の両側の背面をそれぞれ受ける対背面部２，３を，脊椎の棘突起が面する位置に脊椎が接触しない程度の間隔４を置いて，前記対背面部のそれぞれの幅と前記間隔との和２１が肩幅程度かそれ以内であるように配置して一体化したものである。
【００１２】
この背骨安定盤において，基板１と対背面部２，３とが接している部分に，図３３（Ｂ）に示すように，それぞれの部品を着脱可能にする契合部４０A，４０Bを（必要に応じて，４１Ａ，４１Ｂをも）設ける。
基板１が中心基板１Cと，一対の側面基板１B，１Dに分割され，前記側面基板１B，１Dが前記背面部２，３に固着される場合もある。この場合は前記中心基板１Cと２つの前記側面基板１B，１Dに接する部分に，それぞれの部品を着脱可能にする契合部４０A，４０Bを設ける。
【００１３】
脊椎の両側の背面をそれぞれ受ける対背面部２，３を，脊椎の棘突起が面する位置に脊椎が接触しない程度の間隔４を置いて，前記対背面部のそれぞれの幅と前記間隔との和２１が肩幅程度かそれ以内であるように配置して一体化した〔００１１〕に述べる背骨安定盤は，基板１を仮想上の縦軸によって左右に分割した２つの部分に，対背面部２，３を，間隔４によって左右に隔てるように配置し一体化したものと同じである。
この「基板１を仮想上の縦軸によって左右に分割した２つの部分に，対背面部２，３を，間隔４によって左右に隔てるように配置し一体化した」背骨安定盤において，前記仮想上の縦軸の中心に近い任意の一点において直交する仮想上の横軸上に重なるように右の対背面部に対して一つの右側直交部分を，左の対背面部に対して一つの左側直交部分を設けて，背骨安定盤を構成する。
図３３（Ｃ）に示すように，基板１を仮想上の縦軸によって左右に分割した２つの部分に，対背面部２，３を，間隔４によって左右に隔てるように配置し一体化した背骨安定盤において，前記仮想上の横軸に対して間隔４Ｂを置いて右の対背面部に対して二つの右側直交部分を，左の対背面部に対して二つの左側直交部分を設ける場合もある。
【００１４】
図３３（Ｄ―２）に示すように，敷布団またはマットの頭と足に当たる両端の少なくとも１つ，もしくは３つ折りにできる敷布団またはマットの頭と足に当たる両端の少なくとも１つにおいて，人体の上半身の大部分が位置する中央部分５と隣接した両端部分６とが互いに異なった剛柔の度合いの素材で構成した寝具であって，素材５と素材６とを互いに異なる剛柔の度合いの詰め物で構成するか，普通の寝具の素材でできた詰め物を剛柔の度合いを異にした表被５と表被６とで被覆する。
【００１５】
図３３（Ｅ）に示すように，敷布団またはマットの頭と足に当たる両端の少なくとも１つ，もしくは３つ折りにできる敷布団またはマットの頭と足に当たる両端の少なくとも１つにおいて，人体の上半身の大部分が位置する中央部分で脊椎の棘突起が面する位置に対脊椎部５を配置し，その背中が面する部分に，対背面部２，３を配置し，更にその両端に両端部分６を配置する。または，人体の上半身の大部分が位置する，普通の寝具の中央部分で脊椎の棘突起が面する位置に対脊椎部用表被５を配置し，その両側の隣接部分に対背面部用表被２，３を配置し，更にその両端に両端表被６を配置する。
【考案の効果】
【００１６】
本考案の背骨安定盤は，図３３の（Ａ）に示すように，間隔４の両側に対背面部２と３を配置した構造を有するので，間隔４に背骨が位置するように仰臥すると，脊椎の両側の背面に圧力を加えて，周辺のツボを刺激し，血行・排尿・新陳代謝を促進し，内臓に良い影響を及ぼし，全体的に免疫力を高める。
特に，対背面部間に間隙があるので，脊椎の棘突起がなにかに触れる前に背面が対背面部に接触するので，感覚的に仰臥しにくさは和らげられる。
これを体感するためには，壁や柱に，できれば一辺が長大な四角柱の角に背中を，特に脊椎を当てるようにして直立することを試みていただきたい。たいへん難しい作業となる。ただし，これには注意すべき別の側面もある。脊椎に直接固い素材を当てて仰臥（直立でもよい）するのが大変なのは，頚部，脊椎，腰椎がゆるやかなＳ字型をなすように人体が形造られているためである。しかし，人体は健康であれば，脊椎を真直ぐに伸ばすことに十分耐えられる。むしろ，直立時の身体の歪みを矯正する働きさえするのである。このような理由で，脊椎に固い素材を押し当てたままにしておくと，健康体なら快感すら感じるほどの刺激を受ける。引用文献１における板の効用はまさにここにあった。
安定盤の厚さを大にすれば，押圧効果も大きくなる。だが，しばしば問題が生じる。習慣化が難しくなるのである。
安定盤の厚さは，小であれば刺激は小であるが，仰臥し易くなる。初心者は，この構造を持つ薄手のものを使用すれば，長時間使用が可能であり，反復使用の習慣化が楽になる。
【００１７】
基本的な安定盤は，一体化されているので，容易に離脱しなくて継続使用に適しているが，〔００１６〕に述べた押圧効果が大の場合，短時間の使用で自然の要求に従い，背面の設置を外してしまうことが多い。はずしても良いが，問題は，次の日にも反復して使うかどうかである。刺激が強すぎると反復使用が見込めなくなる。使い初めの者や試行錯誤中の者は，このような理由で，各自に適した刺激のものを選ぶ必要があり，しばしば安定盤の厚さ２３や，対背面部の幅２１や，対背面部の長さ２２，間隔４，対背面部の固さの度合い等のいずれか，または組み合わせを変えたほうがよくなる場合がある。
図３３（Ｂ）において本考案は，基本的な安定盤を構成する基板１と対背面部２，３間に契合部４０Ａ，４０Ｂを設けている。また別の実施例では，基板１を肩幅方向において3分割し，対背面部と基板の端を固定している場合は，基板端部と基板中心部とを契合するように，４０Ａ，４０Ｂを設けている。
従って，必要に応じて，部品を取り替えることができる。安定盤の厚さ，幅，長さ，対背面部間の間隔，そして対背面部の材質によって，背面部への刺激の強さ，仰臥のし易さ，位置決めのし易さを変えることができる。
【００１８】
図３３（Ｃ）において本考案は，また，基本的な安定盤の左右両側に，大きく見れば一本または間隔４Ｂを置いた2本の直交部を有している。
従って，左右の直交部は仰臥時の位置決めに便利である。
更に，仰臥前に左右の直交部を寝具上で水平に90度回転させると，仮想上の横軸が縦軸になり，新たな安定盤として使用できる。
基本的な安定盤は，寝易さの点から２つの対背面部を設けたのであるが，対背面部が1枚の板状のものであれば，寝難さは避けられないものの一旦仰臥した後の背骨安定感とその効果は前述の通りたいへん優れているので，縦方向に２つの対背面部を有し，横方向に一つの直交部分を有する十字型安定盤は，前記直交部分は一つの対背面部と同じであるから，90度回転させることによって，基本的な安定盤から，より刺激の強い安定盤に切り換えるのと同等の働きを期待できる。
縦に2個の対背面部，横に2個の対背面部を持つ安定盤も，同様の位置決め効果はあり，90度回転させることによってそれぞれが安定盤として使用できる。
縦と横の対背面部の幅，間隔等を変えてある場合は，効き目の異なる2個の安定盤を組み合わせたのと同じ効果を期待できる。
【００１９】
基本的な安定盤は，脊椎が直接当たらないように，間隔が設けてある。この間隔部分には柔らかな綿等の詰め物をしてもよい。同様に，図３３（Ｄ―２）のように，この間隔を両脇下間距離程度か肩幅程度にまで広げ，その両端に相対的に固めの素材を詰めて，敷布団またはマット（マットレス）を構成することは，当然，本考案の思想に含まれる。
極めて柔らかな，分厚い敷布団を想像してみる。とても快適な寝具であるように思われるが，大違いである。身体全体がすっぽりと沈み込んで，身動きがとれなくなる。寝難さはこの逼迫感から来るものである。
ところが，柔らかな部分を，脊椎を含めて背中に当てることは，場合によっては，必要である。特に，脊椎，背筋等，内臓に疾患を持つ者，腎臓結石により痛みを感じる者にとっては，身動きができない苦しさ以前に，皮膚，筋肉，骨格，患部に刺激を与えないよう安静を重視しなければならないことが多い。
体感してみればよくわかるが，中央素材（上半身で右の脇下から左の脇下までの幅）に柔らかい詰め物をした寝具に横たわると，背面の皮膚，筋肉，内臓，骨格が保護された状態に保たれる。この時，両腕部が固めの素材の上にあるだけで，感覚的に逼迫感から救われるのである。極端な話，前記柔らかな素材の幅が肩幅程度で上半身がすっぽりと寝具に沈み込んでいても，左右の腕が両端の固い素材に接触しているだけで，絡み取られたような不安定感は払拭される。
寝相の悪い子供用にとって役に立つのかどうか，今後の実験課題としたい。
また，板の上に仰臥することは楽ではないが，背面部分を固い素材で，両端部分を柔からな素材で構成した敷布団には仰臥しやすい。極端な場合，腰を降ろしてから仰臥する代わりに，上半身の左右どちらかの肩と脇腹を柔らかい両端部分のいずれか一方に横たえ，そのまま仰向きになる方法がある。一旦仰臥すれば，脊椎を含め背面に押圧を受けるし，左右への身動きも楽である。
上半身が接する中央部分と両端部分に剛柔の度合いの異なる詰め物をした場合に比べて，上半身が接する中央部分とその左右両端部分に普通の寝具に使用される柔らかい詰め物を配し，単に中央部分を柔らかな布地で，その両端部分を腰の強い固い布地で被覆する（または反対に，中央部分を腰の強い固い布地で，その両端部分を柔らかな布地で被覆する）場合は，効用が緩やかではあるが，子供用寝具，安眠用寝具として役にたつ。
【００２０】
本考案はまた，下に敷く寝具全体またはその両端のどちらか一方を，基本的な安定盤と同じように，図３３（Ｅ）のように，間隔４と固い素材の対背面部２，３と，その両横に普通の敷布団もしくはマット（マットレス）の素材６を配列し，前記間隔４の空間に柔らかい素材５を詰めて，前記素材５対背面部２，３との幅２１が肩幅程度になるように構成してあるので，寝具を安定盤にしたのと同じ効果か，あるいは寝具の素材が板状の固さに比べて本質的に柔らか味があるので，安定盤よりも効き目が緩やかだがより快適な寝心地のよさを得られる。
【００２１】
本出願人の体験に基づいて，本出願「背骨安定盤および背骨安定用寝具」の効果を総括する。初心者も熟練者も本願の安定盤または寝具を最適な形態で使用して健康法を実行するなら，結果として，それぞれ免疫力を高めるほどの効果があるものと思われる。
背筋を伸ばして仰臥するだけで脊椎の歪みが矯正される。脊椎を支えたり，包み込んでいる筋肉に自重によって加えられる刺激は，脊椎を正常な形状に保とうとするだけでなく，内臓にまで及ぶ。血行がよくなる。初めて本考案の背骨安定盤を使用した人が，初めて仰臥した時，かっと全身が熱くなったという報告例がある。利尿作用があって，老廃物をよく排出する。新陳代謝がよくなる。熟練者になると，体重は一定に保たれる。本考案者の場合は，この出願時は9７歳になるが，痩せ型ではあっても，体重の際立った増減はない。市販の薬は服用したことがない。頭髪は全白にならず，いまだに黒髪が多少残っている。おそらく，ボケ防止にもなっているのではないだろうか。
【考案を実施するための最良の形態】
【００２２】
以下，図面に従って，各実施例について説明する。
【実施例１】
【００２３】
図１は本考案に係わる第1の実施例の斜面図である。基板１の上に間隔４の間で対背面部２と３が配置され，基板１の裏面に，プラスネジで対背面部２，３ともにそれぞれ2箇所で固着されている。
各部分の寸法は，対背面部２，３の幅（２４）が４０ｍｍ，長さ（２２）が３００ｍｍ，高さ（２３）が５０ｍｍ，間隔（４）が６０ｍｍ，そして対背面部の素材８は角材である。図示のように対背面部の両端，表面は角を落としているが，これは必要要件ではない。基板１の幅は１０ｍｍであるので，角材そのものの高さは４０ｍｍである。また，背骨安定盤そのものの幅（２１）は１４０ｍｍである。
高さが５０ｍｍの安定盤はかなり刺激が強いほうである。
【００２４】
図２は，図１の熟練者用に対する，初心者用の背骨安定盤の斜面図である。
薄手の合成樹脂板を基板１として，その上に幅２４が６０〜１００ｍｍ，厚さ（２３）が基板1を含めて５〜１０ｍｍのフェルト地，コルク材または固めの繊維でできたパッドを両面テープで接着してある。
間隔４が５０〜６０ｍｍとして，幅２１は，１７０〜２６０ｍｍである。
長さ２２は，人体の尾低骨から肩までの長さ（約６００ｍｍ程度）とやや長めにとってある。この長さは位置決めのためのものである。使用者は，この安定盤を敷布団上で背面が接する位置に設置し，安定盤の長手方向，最下端のすぐそばに腰を降ろし，そのまま仰臥する。そうすると，ちょうど背骨が間隔４に納まり，両方の背面がそれぞれの対背面部２と３に接地する。
当然，刺激は小で，抵抗感は少ない。しかしながら，厚さが薄いので，寝返りを打ったり，また背面を安定盤上に戻したりもでき，長時間使用可能で，まず正しい姿勢を長時間保持する効果がある。そのため，次の夜にも反復して使用することに抵抗はない。
図１の熟練者用の安定盤を初心者がいきなり使用した場合，あまりにも刺激が強すぎて，数分後には外してしまい，十中八，九，二度と使わなくなる。
なお，基板１に市販のベークライト板（２５ｍｍ×３６５ｍｍ）を使用することもある。この長さ（３６５ｍｍ）だと初心者以上の者に適しており，先述のような積極的位置決め効果はないが，安定盤の厚さそのものも１ｃｍ程度であれば背面を浮かせて簡単に位置の微調整ができる。
【００２５】
図３は，第1の実施例の別の固着態様を示す斜面図である。基板１は，対背面部２，３間の間隔４において寝具に接する部分に，突起と溝とで契合せしめられたり，接着剤で固定されている。
このように，背骨安定盤の一体化は，周知の技術によって行われる。
また，９は安定盤の補助器具である。これは，図１のような安定盤を背面に当て，腰部に背骨と直交するような位置に当てて，好みによって使用する。
【００２６】
図４は安定盤を真上から見た図である。
基板１の上に対背面部２、３を配置して固定する。
基板１の両端に対背面部２，３を配置して固定する。
基板１を１−１，１−２（場合によっては１−３も使用）のような長細い板上の素材によって固定する。
対背面部２，３は，木板，フェルト，コルク，適度の硬度を有する繊維類，コルク，合成樹脂，アルミ等で構成されることがある。
【実施例２】
【００２７】
（２−１）  第2の実施例は，基板１と1対の対背面部とが接する面において各部分を嵌合もしくは契合せしめることを特徴とし，５つの形態で示される。
図５〜図７がその第1の例である。図７(下から見上げた図)に示すように，基板１は幅において中心基板１Cと，側面基板１Bと１Ｄとに分割されている。側面基板１Bと１Dはそれぞれ対背面部２と３に固定されている。また，それぞれの側面基板１Bと１Dが中心基板１Cに接する面において契合部４０Bが，対する１Cには４０Aが設けられている。なお，１Bと１Cと１Dとを契合した時の基板１の幅２１（＝幅２５Ａ＋２×幅２６）は，対背面部２，３の幅に間隔４を加えたもの（＝間隔４＋２×幅２４）である。
今，幅２５Aを有する基板を契合した背骨安定盤の斜面図は図５のようになり，幅２５Ａよりも大きい幅２５Bを有する基板を契合した背骨安定盤の斜面図は図６のようになる。契合部４０Aと４０Bの形状と配置位置を一定にしておくと，中心基板１Cの幅を変えることにより，背骨安定盤の間隔４を変えることができる。
契合には容易に離脱しない緊密な契合と，取り外しが可能な緩やかな契合とがある。
なお，契合や嵌合の形状は，図に示す例に限定されない。
この例で示された背骨安定盤は，実施例１に準じる堅牢性を持ち，組み合わせを変えて組み立てることが容易なので，検査や試行錯誤の結果見出された幅，長さ，高さ，間隔，材質の固さの程度を組み合わせた製品を提供するのに役にたつ。
【００２８】
（２−２）  次の例は図３３の（Ｂ）において紹介したものの前段階の製品であり，詳しくは図８〜図１０を通じて示される。
基板１は，先の実施例２の１とは異なって，下から見上げた図１０に示す中心基板１C―１の四隅４１Bと４２Bを切り欠き、これらの四隅から切り取った形状と同じ嵌合部１Bと１Dをそれぞれ対背面部２と３の裏面に固定したものである。
四隅の切り欠きについて見かけ上3通り(実質２通り)の場合が，対背面部の下の中心基板で示されている。まず，一方の幅が２５Aである中心基板１C−１の場合，対応する対背面部２と３の一端に固定された嵌合部１B（４０Ｂ）と他端に固定された嵌合部１D（４１Ｂ）は幅方向が異なった形状である。１Ｃ−１の下に示されている中心基板１C−２は，前述の中心基板の肩部分と腰部部分とを逆にしたものである（従って，これは水平に１８０度回転させた１Ｃ−１と同じ）。その右に示す中心基板１C−３では四隅に同じ形状の切り欠き部（４１B）を設けている。（つまり実質２通りとは，肩部分の二隅と腰部部分の二隅の形状が異なるか，四隅の切り欠き部の形状が同じか，である。）
図１０において中心基板１C−３を寝具に置き，その切り欠き部分に対背面部を当てて置いた時と中心基板を1８０度回転させて置いた時とでは間隔４は同じである（嵌合部がどちらも同じだから）。しかし，一端が幅２５Aで他端が幅２５Bである中心基板１Ｃ−１を１８０度回転させて置いた時は間隔４が異なる。これを図８と図９に示す。
ここで嵌合（または契合）関係について詳述する。中心基板１Ｃ−３の場合，その四隅が４１Ｂで示されるように切り欠いてある。対応する対背面部２と３には前記切り欠き部に嵌合する位置に４１Ａがそれぞれ固着されている。これらはそれぞれ嵌合対応をなしている。次に，中心基板１Ｃ−３の左右に張り出している嵌合部４０Ａは何と嵌合対応をなしているのであろうか。実は，各対背面部の両端に設けられた２つの嵌合部４１Ａ間の空間と嵌合対応をなしているのである。中心基板１Ｃ−１の場合は，各対背面部の両端に固着された嵌合部が４１Ａと４２Ａであること以外は同じである。
この例では，左右方向にストッパーがないため，正確な嵌合ではなく，対背面部の幅２４，中心基板の幅２５B，対背面部の裏面に固定された嵌合部１B（４１A）の幅２６次第では，限度一杯に間隔を大きくとった場合に，使用時にはずれるおそれがある。しかし，普通に使用しておれば，寝具の摩擦係数と体重で，おおきなずれは生じない。先の例のような製品としての完成度はないが，使用者に適合する条件や刺激の強さを試行錯誤して求める時，アナログ的に対背面部をスライドさせることによって対背面部間の最適の距離を求めるキットとして最適である。
【００２９】
（２−３）  図１１〜図１４に，実施例２の３として，前記実施例２の２の改良を示す。これは図３３の（Ｂ）に示した着脱型安定盤でもある。
図１３に示すように，中心基板１Cの四隅から切り欠いた部分と同じ形状（幅，長さ，厚さ）の四つの側面基板（四隅基板）１Bを嵌合部４１Bとして対背面部２と３の2箇所に固定してある。中心基板１Cの切り欠き部４１B同士に挟まれた左右の突出部は肩部部分の幅２５A，腰部部分の幅２５Bとも同じ寸法である。中心基板１Cの切り欠き部４１B同士には挟まれた長さ方向の突出部４０Aは，その表面のそれぞれの端に合わせて，対背面部２と３の同位置に設けられた嵌合部４０Bに嵌合するように，ストッパー４０Aを設けてある。前記ストッパーは，対背面部の厚さ２３Aと同じ厚さを有する。
これは，図１０に示した先の実施例２の２（中心基板１Ｃ−３の場合）に基づいて述べると，各対背面部２，３の左右の一部を図１１の４０Ａのように切り欠き，この切り欠き部に契合するストッパー４０Ａを図１３，図１４の基板１Ｃの左右両端に固着したものである。
中心基板１Cを寝具上に置き，対背面部２と３を中心基板上に置くと，対背面部の裏面に固定された４つの嵌合部４１Aが，中心基板１Cの４つの嵌合部４１Bにそれぞれ納まる。同時に，中心基板両端表面の嵌合部４０Aが対背面部２，３に設けられた嵌合部４０Bにそれぞれ納まる。嵌合部４１Aと４１Bは主として左右方向へのずれを防止し，嵌合部４０Aと４０Bは，対背面部２と３が間隔４を狭める方向へのずれを防止するばかりでなく，２つの対背面部を中心基板１Ｃに密着させる働きをする。従って，着脱型安定盤のこの実施例は左右方向，肩と腰部方向へずれることがなく，寝具上ではずしたり設置したりが簡単にできる。
図１４は図１３の嵌合前の二つの部品を斜め上から見下ろしたものである。
図１３（図１４）の幅２５Aである中心基板１Cを対背面部に嵌合すると図１１のようになり，２５Aよりも大である幅を有するものを嵌合すれば図１２のように間隔４が広がる。
嵌合部４０Aと４０B，４１Aと４１Bの形状と配置位置とを同一にしておけば，幅，長さ，厚さ，材質の異なる対背面部２，３と，幅２５Aの異なる中心基板１Cを多数準備しておくことにより，好みの間隔４を得ることができる。嵌合部は多少の遊びがあっても支障なく，実施例２の２で見られたずれも防止され，商品として完成度が高い。
【００３０】
（２−４）  図１５は，簡単な構造を有する着脱型安定盤を下から見上げた図である。
幅２１を有する基板１の両端に合わせて対背面部２と３を置き，それぞれの位置に設けられた対応する契合部４０Aと４０Bをはめ込んで使用する。凸部がすべて４０Ａ，凹部がすべて４０Ｂである。対背面部の幅２４は基板の幅の２分の１以下にしてあるので，対背面部間には幅２１から幅２４の２倍を減じただけの間隔４が生じる。
この場合の契合部は，一端契合すると容易に離脱しない程度にも，ある程度遊びがある程度にもすることができる。
【００３１】
（２−５）  図１６は，基板１と，対背面部の材質２A，３Aと，嵌合部４０A，４０Bとに特徴を有する安定盤の立体図である。
基板１は，たとえばベークライト板のような薄手の合成樹脂で構成されている。板上の素材２と３の上には低反発物質であるウレタンフォーム，またはそれに似た素材２Aと３Aとが固着されている。
この対背面部は両面テープ，またはそれに似たもので基板１に接着されるか，図示のようにいわゆる「マジック・テープ」４０Aと４０Bを，一つは対背面部の底部に，もう一つは基板に固着して，着脱可能に使用する。
図１６から連想が可能であるように，対背面部の素材２，３の底部に溝を設けるか，底部から少し高いところに貫通孔を設け，そこに薄手の基板１を通して一体化するようにすることがある。
【実施例３】
【００３２】
図１７〜図２６は，いわゆる十文字型安定盤である。
十文字型安定盤には，中抜きタイプ（図１７〜図２４），と中抜きでないタイプ(図２５と図２６)とがある。
【００３３】
中抜きタイプ・対称型を説明するために図２２が準備されている。図示されていない基板の真中に仮想的に原点を設け，原点を通る仮想上の縦ｙ軸と横ｘ軸を引く。縦軸と横軸は直交している。これら二本の軸で区切られた４つの部分を，右上から反時計回りに，第１象限，第２象限，第３象限，第４象限と言う。第１象限にＬ字型の対背面部２Ａがある。この時，第１象限の対背面部を縦ｙ軸に対して線対称をなす第２象限内の位置に対背面部３Ａが，また横ｘ軸に対して線対称をなす第４象限内の位置に対背面部２Ｂが，そして原点に対して点対称をなす第３象限内の位置に対背面部３Ｂが存在する。
今，２Ａの各辺の値が図２２に後続する表１の通りである時，対背面部２Ａの各点Ｐ，Ｑ，Ｒ，Ｓ，Ｔ，Ｕは表２のようになる。他の３つの対背面部の対応する各点はこれに基づきそれぞれ計算で求められる。一例として，対背面部３Ｂの各点の座標値を表３に記載する。
【表１】
0003109153.tif 000003
【表２】
0003109153.tif 000004
【表３】
0003109153.tif 000005
図２３は具体的な数値を規定した第１象限内の対背面部２Ａの座標である。
図１７は，このように，肩部分の幅が２１Ａ，脊椎方向の長さが２２である基板１上の４つの部分にそれぞれ対背面部２Ａ，３Ａ，２Ｂ，３Ｂを，縦横十文字にそれぞれ４Ａの間隔をおいて配置して構成した安定盤である（もちろん，縦１文字の間隔４Aに対して，異なった横一文字の間隔４Ｂにすることもできる）。
縦1文字の間隔４Aを含む２つの対背面部２Aと３Aの幅２１は肩幅かそれ以内になるように設定してあり，この安定盤を水平に90度回転させた時同位置にくる幅２１B（対背面部３Aの他の一端と３Bの一端とその間の空間４Aとの和）も同じである。
【００３４】
図１８〜図２１はこのような十文字型安定盤の基板１の形状を変えたものである。図１８の基板はまさに十文字型をしている。図１９〜図２１は真上から見下ろした図で，見た通りのもので，円形（楕円形），変則的な八角形などである。図２１の対背面部はＬ字型ではなく，扇形である。この時縦軸の間隔４Aを含む幅２１Aは肩幅を越す場合があるが，対背面部の肩上に相当する部分は扇形をなしているので，特に支障はない。例えば肩甲骨とその近辺の背面を固い板に押し当てても，人体の不思議で，肩甲骨に異常さえなければ，不都合はない。このことからもわかる通り，十文字型安定盤の対背面部の形状はＬ字型に限定されるものではない。
【００３５】
十文字型安定盤は，４つの部分が完全に対称である以上の例以外に，図２４に示すように，縦軸に対しては対称であるが，横軸に対しては非対称であるような変形がある。
また，基本的安定盤を縦軸に据えて，図２５（斜面図）に示すように，その左右に一枚の板状の素材９１Aと９１Bを取り付けたり，図２６（上面図）のように，その左右に間隔４Ｂを置いて２枚の板状の素材（９１Aと９２A，９１Bと９２B）を取り付けて，十文字型安定盤を構成することがある。この時，９１Aと９２Aは基板１Bの上または両端に固着され（表面に間隔４Aが生じるように配置され），９１Bと９２Bと基板１Cについても同様である。
【００３６】
基本的安定盤は構造がシンプルであるが，その高さが大きくなると刺激が強くなり過ぎると同時に，位置決めに難が生じた。十文字型安定盤の左右の素材は，その位置決めを楽にする。まず，この安定盤を寝具上に設置し，仰臥する。背面と安定盤との位置を微調整する時は，仰臥したまま左右の出っ張りに手を添えて上半身を浮かせて行う。従って，十文字型安定盤の左右の出っ張りは，初心者を対象にする場合は右端から左端までの長さが肩幅以上であることが望ましい。しかしながら，対背面部が背面に接する面積は，基本的安定盤に比べてかなり広いので，仰臥しても安定感があり，縦・横の長さが背面下に隠れる程度であっても支障はない。
【実施例４】
【００３７】
図３３の（A）基本的安定盤は，一対の素材を一定間隔を置いて配置し，背面に当てるという構造を有している。
この構造に基づき，本考案における第４の実施例は，敷布団やベッドマットにおいて，
背面に相当する中央部分を，綿，通常の寝具素材，(低反発性)ウレタン等の柔らかな素材で構成し，その両端部分を相対的に固い素材で構成する，
背面に相当する中央部分を，綿を押し固めたもの，固めの寝具素材，(高反発性)ウレタン等の固めの素材で構成し，その両端部分を普通の寝具素材で構成する
ことを提案するものである。
【００３８】
図２７は3つ折りにできる敷布団，マット，マットレスの斜面図である。この寝具の頭部部分を，あるいは頭部部分と脚部部分を，もしくは３つの部分全体を中央素材５と両端素材６とで構成する。中央素材の幅２１は人体の右の脇下から左の脇下までの距離〜肩幅程度が理想的である。
【００３９】
仰臥する寝具に〔００３６〕の（１）を適用した場合，既に述べたように，上半身を保護し安静に保つ効果と，身体の一部分が固めの素材に接触していることにより，重心の安定感を得るという効果がある。
また，仰臥する寝具に〔００３６〕の（２）を適用した場合，(幅２１が両脇下間距離ないし肩幅程度であるような)比較的広い面積の上に仰臥するため，一旦仰臥してしまえば後は比較的楽である。普通の寝具以上に姿勢を正しく保つ効果がある。寝具であるから保温効果もある。中央素材はどんなに固くても，板ほどではないので，刺激は決して強くはなく，長時間の仰臥に耐える。更に，両端素材は，この場合，相対的にやわらかい詰め物であるので，就寝中の身動きも難しくはない。中央素材を板のように固くしなければ，この寝具は初級から中級程度の健康保持の働きをする。
【００４０】
図２８は，中身が比較的柔らかな素材でできた3つ折り可能な敷布団，マット，マットレスにおいて，その表面の両脇下間距離ないし肩幅程度の幅２１の部分を通常の寝具表被で，その両端の表被を，帆布，フェルト，キャンバス地その他の腰の強い固めの布地で形成したものである。
これが敷布団の時はその上に，またこれがマット等の時は図２９のように敷布団の下に敷いて仰臥する。仰臥前の，本考案の寝具の断面図は図３０のようになり，仰臥時の前記寝具の断面図は図３１のようになる。この図から分かるように，仰臥する寝具の左右両端を腰の強い布地で覆うことにより，柔らかい中心素材と固めの両端素材とで構成した寝具に近い効果を得ることができる。また，あえて図示はしなかったが，図２８を援用して述べるなら，中心素材５を腰の強い布地で，両端素材６を普通の柔らかい布地で形成した場合も，固い中央素材と柔らかい両端素材とよりなる寝具の場合に準じて，ごく初歩的ではあるが健康寝具として役にたつ。どちらも，本考案の思想に含まれるものである。
実施例４寝具については，図３５の実施例４−１のように，中央素材（または中央表被）５を広くとることもあり，実施例４−２のように中央素材（または中央表被）５を対脊椎部程度にとることもある。
【実施例５】
【００４１】
背骨安定盤は寝具の上に置いて使用する器具である。これに対して実施例５は，背骨安定の機構を組み込んだ寝具である。
図３２は，３つ折り可能なベッドマットの立体図で，その幅の中央で，脊椎が相当する位置に，幅４の対脊椎部５を，普通の寝具の素材，または対背面部よりも柔らかい素材で構成し，その両側に相対的に固い素材で対背面部２，３を構成し，更にその両端を普通の寝具の素材６（柔らかい素材）で構成した。
また，前記寝具の詰め物は普通の柔らかい素材を，柔らかい対脊椎部用表被，その両隣の固めの対背面部用表被，寝具の左右両端部分を前記柔らかい対脊椎部と同じ表被で被覆することがある。
実施例１〜３に示すような強い健康保持効果には及ばないが，人生3分の１程度を過ごす就寝中にできるだけ正しい姿勢をとることができ，適度の自重効果を挙げることができる。
図３５の実施例５のように，中央素材５の両端に対背面部２Ａと３Ａとを配置し（この時，２Ａと３Ａと５の幅２１は使用者の肩幅前後が理想的である），その隣にそれぞれ対背面部２Ｂと３Ｂとを配置し，２Ａと２Ｂ間および３Ａと３Ｂ間に縫い目を設けてある。両端素材と対背面部２Ｂ間，もう一方の両端素材と対背面部間の縫い目は設けないこともある。
また，敷布団の場合，分厚い詰め物とその間の強靭な縫い目のおかげで，同一素材の詰め物または同一素材の表被で，対脊椎部と対背面部と両端とを共有して使い分けることができる。図３６は，周辺を縁取りし（ヘムをかけ），四隅と中央の折り目に「キルトをかけた部分」９２を8個設けた市販の製品である。９２間には詰め物のずれを防止するために縫い目を設けている。今，この敷布団に図示のように，３つ折りの場合，ａ〜ｆの８個の部分にキルトをかけると，対脊椎部５（間隔４）と対背面部２，３と両端部分６とよりなる寝具が構成される。中身や表被は同じ素材であっても，縫い目と縫い取りされた部分がそれぞれ独自に作用して，初歩的ながら，安眠と健康維持の可能な寝具ができる。
【００４２】
本考案の実施例４と５は，寝具としては画期的なものである。
図３２ではマットまたはマットレスの例を示したが，敷布団にこの構成を適用することも当然可能である。
敷布団とマットの組み合わせは，従来は，敷布団に対してマットの方が固いのが普通である。
本出願人は，図２９において，布団の下に柔らかな部分を有するマットを敷くことを提案した。これについて，図３４に基づいて説明する。
ウレタン材の特性に魅せられてその寝具について実験を行っているうちに，低反発性のウレタン製マットが寝具に適しているとは思えなくなった。その理由は重心の不安定性にあった。そこで図３４のように，低反発性ウレタン・マットに普通の敷布団を重ねてみたが，それでも重心の不安定性という性質は継承されて残った。
そこで，次に高反発性ウレタン・マットを単独に使用してみた。身体の沈み込みは比較的浅いが，身体の主要な要所はしっかりと沈みこんで保護されている感じがした。低反発性よりも高反発性ウレタン・マットのほうが好印象であった。しかしながら，重心の不安定感は大差なかった。高反発性ウレタン寝具単独の場合のみならず，（薄い枕を使用して）普通の敷布団を重ねて就寝した場合も，首筋に寝違えるような違和感を覚えた。今まで尾低骨から肩，後頭部にかけて，板の上に仰臥している時にも経験しなかったことである。
高反発性ウレタン・マットの高反発性もまた，（減衰するが）上敷きに継承され，肩ではなく，首に影響したものと思われる。
（なお，一定のところからボールを落として反発する高さを，低い順から列挙すると，低反発性ウレタン，綿の敷布団，板敷きの床面，高反発性ウレタンとなった。）
ウレタン製製品について，化学生成品としての影響も未知数である。
本出願人としては，もしウレタンを寝具の素材にするのであれば，実施例４または５のように固さの異なる素材を配列することを提案したい。
また図３２では，敷布団の下に敷く寝具に実施例５の構成を適用したが，これは図３４に示したように，下敷きの硬軟の度合いが上敷きに伝えられる性質を応用したものである。
人体は想像以上に柔軟であって，たとえば，脊椎があたる部分を各人固有のS字にすることなく平面にしても問題がない。本出願においては，肩幅程度，両脇下間距離，等，おおよその寸法を示すことにした。特別の場合を除いて，多少の誤差は人体の柔軟性が許容すると考えたからである。
【産業上の利用可能性】
【００４３】
人生の三分の一に相当する就寝時に姿勢を正しく保つという見地から，シンプルだが意外に獲得困難に見える健康法にアプローチしてみた。その獲得には，少なくとも初心者から熟練者にいたる道筋があり，ジョギングと同様少しの刺激から出発し，反復を繰り返しながら負荷を漸増し続けることが必要であると思われる。
背骨安定盤の幅，長さ，高さ，背中に当たる対背面部の幅，そして対背面部の固さの程度が，この健康法獲得を可能にする五大要素である。
基本的安定盤，着脱型安定盤，十文字型安定盤は等級化して商品化することができる。
また，実施例４と５に示す寝具は，一見無謀にも見える基本的背骨安定盤の思想を寝具に適用したもので，まず，背骨安定盤とは縁がないように見える，骨格の柔らかい子供達に使用できる。安静が必要な人，腰を痛めている人，健常者等万人に使用可能であり、この産業の分野で助言を行う人，クライアントの要望に応えて適切な製品を選定する人達の育成が望まれる。
【図面の簡単な説明】
【００４４】
【図１】基本的安定盤の構成を示した斜面図。(実施例１)
【図２】初心者用の基本的安定盤の構成を示した斜面図。（実施例１）
【図３】基本的安定盤の別の構成と補助器具とを示した斜面図。（実施例１）
【図４】基本的安定盤を真上から見下ろした図。（実施例１）
【図５】着脱型安定盤の斜面図。（実施例２−１）
【図６】より広い間隔を設けた着脱型安定盤の斜面図。(実施例２−１)
【図７】着脱型安定盤の部分的構成を斜め下から見上げた図。(実施例２−１)
【図８】着脱型安定盤の斜面図。（実施例２−２）
【図９】より広い間隔を設けた着脱型安定盤の斜面図。(実施例２−２)
【図１０】着脱型安定盤の部分的構成を斜め下から見上げた図。(実施例２−２)
【図１１】着脱型安定盤の斜面図。（実施例２−３）
【図１２】より広い間隔を設けた着脱型安定盤の斜面図。(実施例２−３)
【図１３】着脱型安定盤の部分的構成を斜め下から見上げた図。(実施例２−３)
【図１４】着脱型安定盤の部分的構成を斜め上から見降ろした図。(実施例２−３)
【図１５】着脱型安定盤の部分的構成を斜め下から見上げた図。(実施例２−４)
【図１６】着脱型安定盤の斜面図。（実施例２−５）
【図１７】十文字型安定盤の斜面図。(実施例３)
【図１８】基板の形が異なる十文字型安定盤の斜面図。(実施例３)
【図１９】基板の形が異なる十文字型安定盤の上面図。(実施例３)
【図２０】基板の形が異なる十文字型安定盤の上面図。(実施例３)
【図２１】扇形の対背面部を持つ十文字型安定盤の上面図。(実施例３)
【図２２】上から見た十文字型安定盤を座標化した図。（実施例３）
【図２３】上から見た別の十文字型安定盤を座標化した図。（実施例３）
【図２４】上から見た非対称十文字型安定盤を座標化した図。（実施例３）
【図２５】別の十文字型安定盤の斜面図。（実施例３）
【図２６】他の十文字型安定盤を上から見た図。（実施例３）
【図２７】１つの中央素材と1対の両端素材を組み合わせて構成した敷布団の斜面図。（実施例４）
【図２８】敷布団を１つの中央素材と，1対の両端素材とで被覆した斜面図。（実施例４）
【図２９】普通の敷布団と実施例４を適用したマットとの組み合わせ。（実施例４）
【図３０】実施例４を適用した（図２８）の寝具の断面図。（実施例４）
【図３１】実施例４を適用した（図２９）の寝具の断面図。（実施例４）
【図３２】基本的安定盤を適用した寝具の斜面図。（実施例５）
【図３３】本考案を要約する説明図。（実施例１〜５）    （Ａ）は基本的安定盤（実施例１），    （Ｂ）は着脱型安定盤（実施例２），    （Ｃ）は十文字型安定盤（実施例３），    （Ｄ−１）は基本的安定盤が背骨安定用寝具に適用されるための説明図，    （Ｄ−２）は第1の背骨安定用寝具（実施例４），    （Ｅ）は第2の背骨安定用寝具（実施例５）に対応する。
【図３４】敷布団とウレタン製マットとを組み合わせた斜面図。（説明）
【図３５】実施例４と実施例５に関する説明のための上面図。
【図３６】実施例５に関する別の説明のための上面図。
【符号の説明】
【００４５】
１      対背面部を固着または嵌合する基盤
１Ａ    対背面部２，３に設けられた，基盤１を固着または嵌合する部分
１B    対背面部２，３に固着された場合の基板の一部。側面基板
１C    着脱可能で幅の異なるものと交換できる基板で。中心基板
１Ｄ    実施例２−４において，１Ｂと対をなす基板。
１−１  対背面部２，３を固着または嵌合する基盤１が単一でなく，複数個に分かれ，対背面部２，３を複数の個所で固着または嵌合する場合に使用される基盤１の代替部品の１つ。
１−２，１−３    上に同じ。
２，３  対背面部（脊椎を間接的に支える）。
２Ａ，２Ｂ，３Ａ，３Ｂ    十文字型安定盤における対背面部。
４      脊椎の主要な部分を受容する位置に設けられた間隔。普通５〜６ｃｍ。
４Ａ，４Ｂ  十文字型安定盤で用いられる間隔。
５      布団，マット等の材質に似た柔らかい素材，またはその素材を用いて構成した背骨を受ける対脊椎部。
６      布団，マット等の中身，材質。
８      対背面部等を固い素材で構成した時の角を取ったあとの面
９      補助器具。
２１    安定盤の脊椎に対して直角をなす方向の長さ。
２２    安定盤の脊椎方向の長さ。
２２Ａ，２２Ｂ  図２５における十文字型安定盤の横方向直行部分の長さ。
２３    安定盤の寝具表面から背面までの高さ。
２３A  基盤１から対背面部２，３の表面までの高さ。
２４    安定盤の対背面部の幅。
２４Ａ，２４Ｂ  図１７における対背面部の幅。
２５A，２５B  中心基板１Cの幅
２６，２７  側面基板１Bの幅（それぞれ異なる）
４０A，４０B，４１Ａ，４１Ｂ  嵌合部分。（一般に同符号のＡとＢとで対をなすが，実施例に示すように，異なった数字間で嵌合関係を示すことがある。）
９１Ａ，９１Ｂ  図２５，図２６における左右直交部分。
９２    図３６において敷布団の要所にキルトをかけた部分。
【図１】
0003109153.tif 000006
【図２】
0003109153.tif 000007
【図３】
0003109153.tif 000008
【図４】
0003109153.tif 000009
【図５】
0003109153.tif 000010
【図６】
0003109153.tif 000011
【図７】
0003109153.tif 000012
【図８】
0003109153.tif 000013
【図９】
0003109153.tif 000014
【図１０】
0003109153.tif 000015
【図１１】
0003109153.tif 000016
【図１２】
0003109153.tif 000017
【図１３】
0003109153.tif 000018
【図１４】
0003109153.tif 000019
【図１５】
0003109153.tif 000020
【図１６】
0003109153.tif 000021
【図１７】
0003109153.tif 000022
【図１８】
0003109153.tif 000023
【図１９】
0003109153.tif 000024
【図２０】
0003109153.tif 000025
【図２１】
0003109153.tif 000026
【図２２】
0003109153.tif 000027
【図２３】
0003109153.tif 000028
【図２４】
0003109153.tif 000029
【図２５】
0003109153.tif 000030
【図２６】
0003109153.tif 000031
【図２７】
0003109153.tif 000032
【図２８】
0003109153.tif 000033
【図２９】
0003109153.tif 000034
【図３０】
0003109153.tif 000035
【図３１】
0003109153.tif 000036
【図３２】
0003109153.tif 000037
【図３３】
0003109153.tif 000038
【図３４】
0003109153.tif 000039
【図３５】
0003109153.tif 000040
【図３６】
0003109153.tif 000041